(57)【要約】【課題】従来製品よりも作業効率性の高い天端ポイントを提供する。【解決手段】コンクリートの天端位置を表示するための天端ポイントであって、横筋を収容可能な収容具と、前記収容具に、略垂直方向に起立するよう取付ける天端棒と、を少なくとも備え、前記収容具は、上板、側板及び下板でもって略コ字状を呈し、前記上板には、上下に貫通する螺子孔を設け、前記天端棒の下端は、前記螺子孔に螺合可能に形成し、前記天端棒の上端には、該天端棒の回転操作用のハンドルを設け、前記天端棒を前記上板に螺合することにより、前記天端棒の下端と前記下板とで横筋を挟んで固定することを特徴とする。【選択図】図１
2015132134.tif 000002
【特許請求の範囲】
【請求項１】
コンクリートの天端位置を表示するための天端ポイントであって、
横筋を収容可能な収容具と、
前記収容具に、略垂直方向に起立するよう取付ける天端棒と、を少なくとも備え、
前記収容具は、上板、側板及び下板でもって略コ字状を呈し、
前記上板には、上下に貫通する螺子孔を設け、
前記天端棒の下端は、前記螺子孔に螺合可能に形成し、
前記天端棒の上端には、該天端棒の回転操作用のハンドルを設け、
前記天端棒を前記上板に螺合することにより、前記天端棒の下端と前記下板とで横筋を挟んで固定することを特徴とする、
天端ポイント。
【請求項２】
前記天端棒に、長手方向に摺動して任意の高さに位置決め可能な基準具を設けたことを特徴とする、請求項１に記載の天端ポイント。
【発明の詳細な説明】
【技術分野】
【０００１】
本発明は、コンクリート構造物の構築に際し、打設コンクリートの天端位置を示すための天端ポイントに関する。
【背景技術】
【０００２】
コンクリートの打設空間内に配置された鉄筋に取り付けて打設コンクリートの天端位置を示す部材として、特許文献１に記載の天端ポイントなどが知られている。
特許文献１に係る天端ポイントは、本体と、締結用ボルトと、天端棒とから構成し、本体を締結用ボルトで鉄筋に取り付け、前記本体に別途設けたネジ孔に、前記天端棒を螺合して取り付けている。
【先行技術文献】
【特許文献】
【０００３】
【特許文献１】特開２００９−１０８４７２号公報
【発明の概要】
【発明が解決しようとする課題】
【０００４】
しかし、前記特許文献に係る天端ポイントには、以下のような点で改善の余地が残されている。
（１）鉄筋への本体の取付機構と、本体への天端棒の取付機構が別々であるため、これらの作業を別々に行う必要がある。
（２）作業員が手作業で本体の取付作業を行う際に、作業員が取付位置まで接近する必要があるため、鉄筋の組立完了後など人が立ち入れない場所（スラブの下側鉄筋など）への設置が難しい。
（３）前記した下側鉄筋への設置ができない場合、天端棒を上側鉄筋に結束線などで固定して、天端棒を複数箇所で固定することもできないため、天端棒が傾いて垂直起立が維持できない場合ある。よって、コンクリート厚さが厚い場合、コンクリートの打設中における天端棒の安定性に難がある。
【０００５】
よって、本願発明は、従来製品よりも作業効率性の高い天端ポイントを提供することを目的とするものである。
【課題を解決するための手段】
【０００６】
以上の課題を解決すべくなされた本願の第１発明は、コンクリートの天端位置を表示するための天端ポイントであって、横筋を収容可能な収容具と、前記収容具に、略垂直方向に起立するよう取付ける天端棒と、を少なくとも備え、前記収容具は、上板、側板及び下板でもって略コ字状を呈し、前記上板には、上下に貫通する螺子孔を設け、前記天端棒の下端は、前記螺子孔に螺合可能に形成し、前記天端棒の上端には、該天端棒の回転操作用のハンドルを設け、前記天端棒を前記上板に螺合することにより、前記天端棒の下端と前記下板とで横筋を挟んで固定することを特徴とする、天端ポイントを提供する。
また、本願の第２発明は、前記第１発明において、前記天端棒に、長手方向に摺動して任意の高さに位置決め可能な、基準具を設けたことを特徴とするものである。
【発明の効果】
【０００７】
本発明によれば、以下に記載する効果のうち、少なくとも何れか１つを得ることができる。
（１）天端ポイントを鉄筋に取り付ける作業が、１回の螺合動作で完結する。
（２）作業員による取付可能な領域が、天端棒の長さ分だけ拡張する。つまり、天端棒を収容部に予め取り付けた状態としておけば、作業員から離れた下側鉄筋であっても、天端ポイントを潜りこませて鉄筋を収容部に配置し、天端棒を回転させて鉄筋に締め付けることができる。
（３）作業員が接近できない下側鉄筋への設置も可能となるため、上側鉄筋と二点支持することで、天端棒の直立状態の維持に寄与する。
【図面の簡単な説明】
【０００８】
【図１】本発明に係る天端ポイントの分解斜視図。
【図２】本発明に係る天端ポイントの使用方法の説明図。
【発明を実施するための形態】
【０００９】
以下、各図面を参照しながら、本発明に係る天端ポイントの実施形態について説明する。
【実施例】
【００１０】
＜１＞全体構成
本発明に係る天端ポイントＡは、横筋Ｘを収容可能な収容具１と、前記収容具１に、略垂直方向に起立するよう取付ける天端棒２と、を少なくとも備える。
以下、各構成要素の詳細について説明する。
【００１１】
＜２＞収容具
収容具１は、横筋Ｘを収めるための部材である。
収容具１は、内部に横筋Ｘの収容空間を形成する。
収容具１は、平板を略コ字状に折曲して上板１１、側板１２及び下板１３を設けるように新たに形成してもよいし、鉄筋に型枠用のセパレータを取り付けるための既成の連結具を流用してもよい。
上板１１には、上下に貫通する螺子孔１１１を設けておく。
側壁１２は、前記上板１１と下板１２とを繋ぐ為の部材である。
下板１３の形状は、平板状でもよいが、本実施例のように谷型に折曲しておけば、横筋Ｘの収まりが良い点で有益である。
【００１２】
＜３＞天端棒
天端棒２は、打設コンクリートの天端位置の表示と、横筋Ｘへの固定を行うための部材である。
天端棒２は、棒状の長手部材を用いる。
天端棒２の下端には、前記螺子孔１１に対応する螺合溝２１を設ける。
天端棒２の上端には、当該天端棒２の回転動作を容易とするためのハンドル２２を設ける。
前記ハンドル２２の取付方法は、水平方向に延伸した棒材を溶接などによって固定する方法などがある。
【００１３】
＜４＞使用方法
本発明に係る天端ポイントＡの使用方法について、図２を参照しながら説明する。
図２は、コンクリートの打設空間内に縦横に配置された鉄筋のうち、横筋Ｘに天端ポイントＡを設置する場合の使用状態を示している。
なお、収容具１と天端棒２は予め軽く螺合して一体化した状態としておく。
【００１４】
＜４．１＞天端ポイントの設置
まず、横筋Ｘの側方から天端ポイントＡを差し入れて、収容具１内に横筋Ｘを収容する（図２（ａ））。
次に、ハンドル２２（図示せず）を回転させて、天端棒２を螺合していく。螺合が進んでいくうちに天端棒２の下端は下方へ進展し横筋Ｘと接触する。
さらに螺合を進めることで、横筋Ｘは、天端棒２の下端と収容具１の下板１３に挟み込まれて押圧固定される（図２（ｂ））。
この工程により、天端ポイントＡは、天端棒２が垂直に起立した状態で横筋Ｘへと固定されることとなる。
【００１５】
＜４．２＞天端位置の確認
天端ポイントＡの固定が完了したのち、打設コンクリートの天端位置をレベル出しし、天端棒２に目印を付与する。
この目印の付与は、カラーテープを巻き付けてもよいし、天端棒２内を長手方向に摺動して、所定の高さに位置決め可能な基準具（図示せず）などによって実現することができる。
【００１６】
＜４．３＞コンクリートの打設
前記した目印の位置までコンクリートを打設し、通常通り左官仕上げを行う。
【００１７】
＜４．４＞天端ポイントの取り外し
天端ポイントＡのハンドル２２を逆回転し、打設コンクリートから天端棒２のみを抜き取る。よって、天端棒２は再利用が可能である。
その後、天端棒２が存していた空洞部分を、別途左官仕上げする。
【００１８】
＜５＞まとめ
以上説明した通り、本願発明に係る天端ポイントＡによれば、予め天端棒２と収容具１を一体化しておくことにより、設置作業を１回の螺合動作で完結することができる。
また、作業員による取付可能な領域が、天端棒の長さ分だけ拡張することとなるため、設置範囲の拡大に寄与する。
【符号の説明】
【００１９】
Ａ      天端ポイント
１      収容具
１１    上板
１２    側板
１３    下板
１１１  螺子孔
２      天端棒
２１    螺合溝
２２    ハンドル
Ｘ      横筋
【図１】
2015132134.tif 000003
【図２】
2015132134.tif 000004